(57)【要約】【課題】主走査方向へ複数並べられた素子で画像を取得する際に、取得した画像において副走査方向への画像のずれが生じるのを抑える。【解決手段】記録媒体で反射した光は、第１光電変換素子２３１、第２光電変換素子２３２および第３光電変換素子２３３で受光される。第２光電変換素子から出力された信号は、第１増幅部２４１で増幅され、第３光電変換素子から出力された信号は、第２増幅部２４２で増幅され、第１増幅部と第２増幅部の増幅度の和は、１となるように設定されている。第１光電変換素子２３１と、第１増幅部２４１から出力された信号と、第２増幅部２４２から出力された信号とが加算部２４４で加算され、加算部２４４から出力される信号に基づいて記録媒体の画像を示す画像データが生成される。【選択図】図５
2011049845.tif 000002
【特許請求の範囲】
【請求項１】
光を照射する光照射部と、
前記光照射部から照射されて記録媒体で反射した反射光を透過し、記録媒体に形成されている画像を取得する際の主走査方向に長手方向を有して正立像を結像するレンズと、
前記レンズを透過した光を受光する第１光電変換素子、第２光電変換素子および第３光電変換素子が前記記録媒体に形成されている画像を取得する際の副走査方向に並べられ、且つ、前記第１光電変換素子を挟んで前記第２光電変換素子と前記第３光電変換素子とが位置する画素部が、前記主走査方向へ複数並べられた受光部と、
前記第２光電変換素子から出力される信号を増幅する増幅部であって、前記複数の画素部毎に設けられた複数の第１増幅部と、
前記第３光電変換素子から出力される信号を増幅する増幅部であって、前記複数の画素部毎に設けられた複数の第２増幅部と、
前記複数の画素部毎に設けられ、該画素部の第１光電変換素子から出力された信号と、該第１光電変換素子に対応する第２光電変換素子から出力されて前記第１増幅部で増幅された信号と、該第１光電変換素子に対応する第３光電変換素子から出力されて前記第２増幅部で増幅された信号とを加算する加算部と、
前記加算部から出力された信号に基づいて、前記記録媒体に形成されている画像を示す画像データを生成する画像データ生成部と、
前記光照射部と、前記レンズと、前記受光部を前記記録媒体に対して相対的に前記副走査方向へ移動させる駆動部と、
一の前記画素部について設けられた第１増幅部の増幅度と第２増幅部の増幅度の和が一定の値となるように、前記複数の第１増幅部と前記複数の第２増幅部について増幅度を個別に制御する制御部と
を有する画像読取装置。
【請求項２】
光を照射する光照射部と、
前記光照射部から照射されて記録媒体で反射した反射光を透過し、記録媒体に形成されている画像を取得する際の主走査方向に長手方向を有して正立像を結像するレンズと、
前記レンズを透過した光を受光する第１光電変換素子、第２光電変換素子および第３光電変換素子が前記記録媒体に形成されている画像を取得する際の副走査方向に並べられ、且つ、前記第１光電変換素子を挟んで前記第２光電変換素子と前記第３光電変換素子とが位置する画素部が、前記主走査方向へ複数並べられた受光部と、
前記第２光電変換素子から出力される信号を増幅する増幅部であって、前記複数の画素部毎に設けられた複数の第１増幅部と、
前記第３光電変換素子から出力される信号を増幅する増幅部であって、前記複数の画素部毎に設けられた複数の第２増幅部と、
前記複数の画素部毎に設けられ、該画素部の第１光電変換素子から出力された信号と、該第１光電変換素子に対応する第２光電変換素子から出力されて前記第１増幅部で増幅された信号と、該第１光電変換素子に対応する第３光電変換素子から出力されて前記第２増幅部で増幅された信号とを加算する加算部と、
前記加算部から出力された信号に基づいて、前記記録媒体に形成されている画像を示す画像データを生成する画像データ生成部と、
前記光照射部と、前記レンズと、前記受光部に対して前記記録媒体を相対的に前記副走査方向へ移動させる移動部と、
一の前記画素部について設けられた第１増幅部の増幅度と第２増幅部の増幅度の和が一定の値となるように、前記複数の第１増幅部と前記複数の第２増幅部について増幅度を個別に制御する制御部と
を有する画像読取装置。
【請求項３】
利用者により操作される操作部と、
前記複数の第１増幅部の各増幅度と、前記複数の第２増幅部の各増幅度とを記憶した記憶部を有し、
前記制御部は、一の前記画素部について設けられた第１増幅部の増幅度と第２増幅部の増幅度が同じとなるように前記複数の第１増幅部と前記複数の第２増幅部について増幅度を個別に制御する方式と、前記記憶部に記憶されている増幅度で前記複数の第１増幅部と前記複数の第２増幅部の増幅度を個別に制御する方式とを、前記操作部にされた操作に応じて切り替えること
を特徴とする請求項１または請求項２に記載の画像読取装置。
【発明の詳細な説明】
【技術分野】
【０００１】
本発明は、画像読取装置に関する。
【背景技術】
【０００２】
受光素子が直線状に並べられた複数のＩＣ（Integrated Circuit）を基板上に直線状に実装したイメージセンサーとして、例えば、特許文献１に開示されたイメージセンサーがある。このイメージセンサーにおいては、受光素子が直線状に並べられたＩＣが、基板上に形成された溝により位置合わせされて主走査方向へ複数並べられている。このイメージセンサーを用いた画像読み取り装置によれば、複数の受光素子の実装精度が向上し、副走査方向で画像にずれが生じるのが抑えられている。
【先行技術文献】
【特許文献】
【０００３】
【特許文献１】特開平５−７５７８８号公報
【発明の概要】
【発明が解決しようとする課題】
【０００４】
本発明は、主走査方向へ複数並べられた素子で画像を取得する際に、取得した画像において副走査方向への画像のずれが生じるのを抑えることを目的とする。
【課題を解決するための手段】
【０００５】
本発明の請求項１に係る画像読取装置は、光を照射する光照射部と、前記光照射部から照射されて記録媒体で反射した反射光を透過し、記録媒体に形成されている画像を取得する際の主走査方向に長手方向を有して正立像を結像するレンズと、前記レンズを透過した光を受光する第１光電変換素子、第２光電変換素子および第３光電変換素子が前記記録媒体に形成されている画像を取得する際の副走査方向に並べられ、且つ、前記第１光電変換素子を挟んで前記第２光電変換素子と前記第３光電変換素子とが位置する画素部が、前記主走査方向へ複数並べられた受光部と、前記第２光電変換素子から出力される信号を増幅する増幅部であって、前記複数の画素部毎に設けられた複数の第１増幅部と、前記第３光電変換素子から出力される信号を増幅する増幅部であって、前記複数の画素部毎に設けられた複数の第２増幅部と、前記複数の画素部毎に設けられ、該画素部の第１光電変換素子から出力された信号と、該第１光電変換素子に対応する第２光電変換素子から出力されて前記第１増幅部で増幅された信号と、該第１光電変換素子に対応する第３光電変換素子から出力されて前記第２増幅部で増幅された信号とを加算する加算部と、前記加算部から出力された信号に基づいて、前記記録媒体に形成されている画像を示す画像データを生成する画像データ生成部と、前記光照射部と、前記レンズと、前記受光部を前記記録媒体に対して相対的に前記副走査方向へ移動させる駆動部と一の前記画素部について設けられた第１増幅部の増幅度と第２増幅部の増幅度の和が一定の値となるように、前記複数の第１増幅部と前記複数の第２増幅部について増幅度を個別に制御する制御部とを有する。
【０００６】
本発明の請求項２に係る画像読取装置は、光を照射する光照射部と、前記光照射部から照射されて記録媒体で反射した反射光を透過し、記録媒体に形成されている画像を取得する際の主走査方向に長手方向を有して正立像を結像するレンズと、前記レンズを透過した光を受光する第１光電変換素子、第２光電変換素子および第３光電変換素子が前記記録媒体に形成されている画像を取得する際の副走査方向に並べられ、且つ、前記第１光電変換素子を挟んで前記第２光電変換素子と前記第３光電変換素子とが位置する画素部が、前記主走査方向へ複数並べられた受光部と、前記第２光電変換素子から出力される信号を増幅する増幅部であって、前記複数の画素部毎に設けられた複数の第１増幅部と、前記第３光電変換素子から出力される信号を増幅する増幅部であって、前記複数の画素部毎に設けられた複数の第２増幅部と、前記複数の画素部毎に設けられ、該画素部の第１光電変換素子から出力された信号と、該第１光電変換素子に対応する第２光電変換素子から出力されて前記第１増幅部で増幅された信号と、該第１光電変換素子に対応する第３光電変換素子から出力されて前記第２増幅部で増幅された信号とを加算する加算部と、前記加算部から出力された信号に基づいて、前記記録媒体に形成されている画像を示す画像データを生成する画像データ生成部と、前記光照射部と、前記レンズと、前記受光部に対して前記記録媒体を相対的に前記副走査方向へ移動させる移動部と、一の前記画素部について設けられた第１増幅部の増幅度と第２増幅部の増幅度の和が一定の値となるように、前記複数の第１増幅部と前記複数の第２増幅部について増幅度を個別に制御する制御部とを有する。
【０００７】
本発明の請求項１または請求項２に係る画像読取装置は、利用者により操作される操作部と、前記複数の第１増幅部の各増幅度と、前記複数の第２増幅部の各増幅度とを記憶した記憶部を有し、前記制御部は、一の前記画素部について設けられた第１増幅部の増幅度と第２増幅部の増幅度が同じとなるように前記複数の第１増幅部と前記複数の第２増幅部について増幅度を個別に制御する方式と、前記記憶部に記憶されている増幅度で前記複数の第１増幅部と前記複数の第２増幅部の増幅度を個別に制御する方式とを、前記操作部にされた操作に応じて切り替えることを特徴とする。
【発明の効果】
【０００８】
本発明の請求項１に係る発明によれば、主走査方向へ複数並べられた素子で画像を取得する際に、取得した画像において副走査方向への画像のずれが生じるのを抑えることができる。
本発明の請求項２に係る発明によれば、主走査方向へ複数並べられた素子で画像を取得する際に、取得した画像において副走査方向への画像のずれが生じるのを抑えることができる。
本発明の請求項３に係る発明によれば、主走査方向へ複数並べられた素子で画像を取得する際に、副走査方向への素子のずれを知ることができる。
【図面の簡単な説明】
【０００９】
【図１】本発明の一実施形態に係る画像読取装置１の模式図。
【図２】画像読取装置１のハードウェア構成を示したブロック図。
【図３】読取部２０にある部材の位置関係の模式図。
【図４】受光部２３の模式図。
【図５】供給部２５の構成を示した図。
【図６】調整テーブルＴＢ１と調整テーブルＴＢ２のフォーマットを示した図。
【図７】センサ基板２３５の配置例を示した図。
【図８】センサ基板２３５の配置例を示した図。
【図９】調整テーブルＴＢ１と調整テーブルＴＢ２のフォーマットを示した図。
【図１０】制御部１０が行う処理の流れを示したフローチャート。
【発明を実施するための形態】
【００１０】
［実施形態］
（実施形態の構成）
図１は、本発明の一実施形態に係る画像読取装置１において画像の読み取りに関係する部分を模式的に示した図であり、図２は、画像読取装置１のハードウェア構成を示したブロック図である。
画像読取装置１は、記録媒体である原稿２に形成されている文字や図形などの画像を読み取り、読み取った画像を示す画像情報を生成する所謂スキャナーであり、原稿２が載せられる透明なガラス板４と、原稿２を押さえる押さえ板５を筐体３の上面側に有している。また、画像読取装置１は、原稿２の画像を読み取るモジュールの一例である読取部２０を筐体３の内部に有している。
【００１１】
読取部２０は、光照射部２１Ａ、２１Ｂ、レンズ２２、受光部２３、およびこれらの部材を支持するフレーム２４で構成されている。図３は、読取部２０にある光照射部２１Ａ、２１Ｂ、レンズ２２、受光部２３の位置関係を模式的に示した図であり、同図に示したように光照射部２１Ａ、２１Ｂは、レンズ２２を挟んで主走査方向に沿って位置しており、受光部２３は、レンズ２２の下方に位置している。なお、図３においては、フレーム２４の図示を省略している。
【００１２】
光照射部２１Ａ、２１Ｂは、白色光を照射する発光ダイオードを複数有しており、画像を読み取る際の主走査方向に沿って発光ダイオードが直線状に並べられている。光照射部２１Ａ、２１Ｂから照射された光は、ガラス板４に載せられた原稿２に照射され、原稿２で反射する。
レンズ２２は、複数の円柱形状のロッドレンズを主走査方向に並べたレンズである。光照射部２１Ａ、２１Ｂから照射されて原稿２で反射した光は、レンズ２２を通って受光部２３に案内され、原稿２にある画像の等倍の正立像が受光部２３にて結像する。
受光部２３は、光を電気信号に変換する光電変換素子を主走査方向と副走査方向に複数並べた構造となっており、レンズ２２によって光電変換素子に案内された光を電気信号に変換する。
【００１３】
図４は、受光部２３の模式図である。同図に示したように受光部２３においては、板状の基板２３０上にＮ個のセンサ基板２３５−１〜２３５−Ｎが主走査方向に直線状に並べられている。なお、本実施形態においては、センサ基板２３５−１〜２３５−Ｎの構成は同じであるため、以下、各々区別する必要の無い場合は、センサ基板２３５と称する。
【００１４】
図４の二点鎖線内は、センサ基板２３５−１とセンサ基板２３５−２を拡大して示しており、ここで示したように各センサ基板２３５においては、ｊ個の第１光電変換素子２３１と、ｊ個の第２光電変換素子２３２およびｊ個の第３光電変換素子２３３が配置されている。なお、図４において、各光電変換素子に付されている符号の枝番は、主走査方向に複数列で並べられている光電変換素子の列の番号に対応しており、例えば、主走査方向の１列目にある光電変換素子の符号の枝番は「１」、主走査方向の２列目にある光電変換素子の符号の枝番は「２」、主走査方向の５列目にある光電変換素子の符号の枝番は「５」、センサ基板２３５−Ｎの端にあるｍ列目に配置されている光電変換素子の符号の枝番は「ｍ」としている。また、本実施形態においては、各光電変換素子は、ＣＭＯＳ（Complementary Metal Oxide Semiconductor）イメージセンサーとなっている。
【００１５】
第１光電変換素子２３１−１〜２３１−ｍは、本実施形態においては、主走査方向の長さが４０μｍ、副走査方向の長さが３０μｍとなっており、センサ基板２３５において主走査方向へ直線状に中心間の間隔を４２．３μｍにして並んでいる。なお、各第１光電変換素子の構成は同じであるため、個々の第１光電変換素子を区別する必要の無い場合は、以下、第１光電変換素子２３１と称する。
第２光電変換素子２３２は、本実施形態においては、主走査方向の長さが４０μｍであり、副走査方向の長さは１０μｍとなっており、センサ基板２３５において主走査方向へ直線状に中心間の間隔を４２．３μｍにして並んでいる。また、第３光電変換素子２３３も、本実施形態においては、主走査方向の長さが４０μｍであり、副走査方向の長さは１０μｍとなっており、センサ基板２３５において主走査方向へ直線状に中心間の間隔を４２．３μｍにして並んでいる。なお、各第２光電変換素子の構成は同じであるため、個々の第２光電変換素子を区別する必要の無い場合は、以下、第２光電変換素子２３２と称する。また、第３光電変換素子についても、各第３光電変換素子の構成は同じであるため、個々の第３光電変換素子を区別する必要の無い場合は、以下、第３光電変換素子２３３と称する。
第２光電変換素子２３２と第３光電変換素子２３３は、第２光電変換素子２３２と第３光電変換素子２３３とで第１光電変換素子２３１を挟むようにして主走査方向へ直線状に並んでおり、同じ枝番の第１光電変換素子２３１、第２光電変換素子２３２および第３光電変換素子２３３は、１画素分の画像を読み取る画素部として機能する。
なお、光電変換素子の並んでいるピッチは、４２．３μｍに限定されるものではなく、他のピッチであってもよい。
【００１６】
次に図５は、第２光電変換素子２３２と第３光電変換素子２３３から出力される信号を後述する画像処理部５０へ供給する供給部２５の構成を示した図である。
第１増幅部２４１−１〜２４１−ｍは、第２光電変換素子２３２−１〜２３２−ｍから出力される信号を増幅する増幅部である。第１増幅部２４１−１〜２４１−ｍは、制御部１０からの制御により、増幅度が０〜１の範囲で個別に制御される。なお、各第１増幅部の構成は同じであるため、個々の第１増幅部を区別する必要の無い場合は、以下、第１増幅部２４１と称する。
また、第２増幅部２４２−１〜２４２−ｍは、第３光電変換素子２３３−１〜２３３−ｍから出力される信号を増幅する増幅部である。第２増幅部２４２−１〜２４２−ｍは、制御部１０からの制御により、増幅度が０〜１の範囲で個別に制御される。第２増幅部についても、各第２増幅部の構成は同じであるため、個々の第２増幅部を区別する必要の無い場合は、以下、第２増幅部２４２と称する。
なお、各増幅部の符号の枝番は、増幅部に接続されている光電変換素子の符号の枝番と同じとなっている。
【００１７】
加算部２４４−１〜２４４−ｍは、入力される信号を加算し、加算結果を示す信号を出力する回路であり、第１増幅部２４１から出力された信号と、第１光電変換素子２３１から出力された信号と、第２増幅部２４２から出力された信号とを加算し、加算結果を示す信号をシフトレジスタ２４３へ出力する。なお、加算部２４４−１〜２４４−ｍは、いずれも同じ構成であるため、個々を特に区別する必要の無い場合は、以下、加算部２４４と称する。
シフトレジスタ２４３は、アナログ信号を保持するシフトレジスタであり、加算部２４４−１〜２４４−ｍから出力された信号が入力される。シフトレジスタ２４３は、入力される信号を保持し、制御部１０の制御の下、蓄積した信号を画像処理部５０へ出力する。
【００１８】
次に、図２に示した制御部１０は、ＣＰＵ（Central Processing Unit）、ＲＯＭ（Read Only Memory）およびＲＡＭ（Random Access Memory）などを具備している。画像読取装置１の電源が入れられると、ＣＰＵはＲＯＭに記憶されている制御プログラムに従って動作し、画像読取装置１の各部の制御を行う。なお、図２に示したように、制御部１０、読取部２０、供給部２５、操作部３０、駆動部４０、画像処理部５０、インターフェース部６０および記憶部７０は、バス１１に接続されており、バス１１を介して各部間でデータや信号の授受を行う。
操作部３０は、画像読取装置１を操作するための複数のキーを有している。制御部１０は、操作部３０において押下されたキーを検知し、押下されたキーに応じて各部の制御を行う。
駆動部４０は、読取部２０を副走査方向へ移動させる機構を有しており、制御部１０の制御の下、読取部２０を副走査方向へ移動させる。
画像処理部５０は、シフトレジスタ２４３から供給される電気信号に基づいて、原稿２に形成されている画像の画像データを生成する画像データ生成部の一例であり、生成した画像から原稿２に形成されている画像を表す画像情報を生成する機能を備えている。
インターフェース部６０は、ＰＣ（Personal Computer）などのコンピュータ装置とデータや信号の授受を行う機能を備えており、画像処理部５０で生成された画像情報を、インターフェース部６０とＰＣを接続する通信ケーブルを介してＰＣへ出力する。
【００１９】
記憶部７０は、不揮発性メモリを有しており、第１増幅部２４１−１〜２４１−ｍの増幅度を調整するためのデータである調整データを格納した調整テーブルＴＢ１と、第２増幅部２４２−１〜２４２−ｍの増幅度を調整するためのデータである調整データを格納した調整テーブルＴＢ２を記憶している。
ここで、図６は、調整テーブルＴＢ１と調整テーブルＴＢ２のフォーマットを例示した図である。調整テーブルＴＢ１と調整テーブルＴＢ２にある識別子の列は、各増幅部を一意に識別する識別子が格納される列である。また、増幅度の列は、同じ行にある識別子で特定される増幅部の増幅度を示すデータが格納される列である。
例えば、第１増幅部２４１−１〜２４１−ｍについては、識別子として「１」〜「ｍ」を付し、第１増幅部２４１−１の増幅度を「０．７」にする場合、調整テーブルＴＢ１の１行目に示したように、第１増幅部２４１−１の識別子「１」に対応付けて増幅度「０．７」が同じ行に格納される。また、第１増幅部２４１−２の増幅度を「０．７」にする場合、調整テーブルＴＢ１の２行目に示したように、第１増幅部２４１−２の識別子「２」に対応付けて増幅度「０．７」が同じ行に格納される。
また、第２増幅部２４２−１〜２４２−ｍについては、識別子として「１」〜「ｍ」を付し、第２増幅部２４２−１の増幅度を「０．３」にする場合、調整テーブルＴＢ２の１行目に示したように、第２増幅部２４２−１の識別子「１」に対応付けて増幅度「０．３」が同じ行に格納される。また、第２増幅部２４２−２の増幅度を「０．３」にする場合、調整テーブルＴＢ２の２行目に示したように、第２増幅部２４２−２の識別子「２」に対応付けて増幅度「０．３」が同じ行に格納される。
【００２０】
なお、調整テーブルに格納される増幅度は、主走査方向については受光部２３の主走査方向の長さより長く、副走査方向については、副走査方向の１ライン分の幅（例えば、画像読取装置１の解像度が６００ｄｐｉである場合には４２．３μｍ）を有する光（以下、調整光と称する）を受光部２３に照射した時に各光電変換素子から出力される信号に基づいて、画像読取装置１の製造時に設定される。
具体的には、まず、調整光が全ての第１光電変換素子にて受光されるように受光部２３の位置を調整する。ここで、図７に示したように、各センサ基板２３５が主走査方向に平行であって副走査方向へずれていると、第２光電変換素子２３２において光が当たる部分の面積と、第３光電変換素子２３３において光が当たる部分の面積がセンサ基板２３５毎に異なることとなる。
【００２１】
例えば、第２光電変換素子２３２−１の面積の７割の部分で調整光が受光されると、第２光電変換素子２３２−１から出力される信号の電圧値は、第２光電変換素子２３２−１の全面に光が照射された時に出力される電圧値の７割の値となる。この場合、この割合を示す「０．７」を、第２光電変換素子２３２−１に接続されている第１増幅部２４１−１の増幅度とし、図６の調整テーブルＴＢ１のように、第１増幅部２４１−１の識別子「１」に対応付けて増幅度を示す「０．７」を格納する。
また、第３光電変換素子２３３−１の面積の３割の部分で調整光が受光されると、第３光電変換素子２３３−１から出力される信号の電圧値が、第３光電変換素子２３３−１の全面に光が照射された時に出力される電圧値の３割の値となる。この場合、この割合を示す「０．３」を、第３光電変換素子２３３−１に接続されている第２増幅部２４２−１の増幅度とし、図６の調整テーブルＴＢ２のように、第２増幅部２４２−１の識別子「１」に対応付けて、増幅度を示す「０．３」を格納する。
なお、本実施形態においては、枝番が同じである第１増幅部２４１と第２増幅部２４２の増幅度を加算すると加算結果は１となるように増幅度が設定される。
【００２２】
また、例えば、図８に示したようにセンサ基板２３５−１が主走査方向に対して平行でなく斜めにずれており、調整光が図８に示した２本の点線の間で受光され、第２光電変換素子２３２−１の面積の９割の部分で調整光が受光されると、第２光電変換素子２３２−１から出力される信号の電圧値は、第２光電変換素子２３２−１の全面に光が照射された時に出力される電圧値の９割の値となる。この場合、この割合を示す「０．９」を、第２光電変換素子２３２−１に接続されている第１増幅部２４１−１の増幅度とし、図９の調整テーブルＴＢ１のように、第１増幅部２４１−１の識別子「１」に対応付けて、増幅度を示す「０．９」を格納する。
また、第３光電変換素子２３３−１の面積の１割の部分で調整光が受光されると、第３光電変換素子２３３−１から出力される信号の電圧値は、第３光電変換素子２３３−１の全面に光が照射された時に出力される電圧値の１割の値となる。この場合、この割合を示す「０．１」を、第３光電変換素子２３３−１に接続されている第２増幅部２４２−１の増幅度とし、図９の調整テーブルＴＢ２のように、第２増幅部２４２−１の識別子「１」に対応付けて、増幅度を示す「０．１」を格納する。
【００２３】
また、第２光電変換素子２３２−ｍの面積の１割の部分で調整光が受光されると、第２光電変換素子２３２−４から出力される信号の電圧値は、第２光電変換素子２３２−ｍの全面に光が照射された時に出力される電圧値の１割の値となる。この場合、この割合を示す「０．１」を、第２光電変換素子２３２−ｍに接続されている第１増幅部２４１−ｍの増幅度とし、図９の調整テーブルＴＢ１のように、第１増幅部２４１−ｍの識別子「ｍ」に対応付けて、増幅度を示す「０．１」を格納する。
また、第３光電変換素子２３３−ｍの面積の９割の部分で調整光が受光されると、第３光電変換素子２３３−ｍから出力される信号の電圧値は、第３光電変換素子２３３−ｍの全面に光が照射された時に出力される電圧値の９割の値となる。この場合、この割合を示す「０．９」を、第３光電変換素子２３３−ｍに接続されている第２増幅部２４２−４の増幅度とし、図９の調整テーブルＴＢ２のように、第２増幅部２４２−ｍの識別子「ｍ」に対応付けて、増幅度を示す「０．９」を格納する。
【００２４】
（実施形態の動作）
次に、本実施形態の動作について説明する。なお、以下の説明においては、基板２３０において図７に示したようにセンサ基板２３５が配置されており、図６に示した調整テーブルＴＢ１と調整テーブルＴＢ２が記憶部７０に記憶されている場合を想定して動作の説明を行う。
【００２５】
まず、画像読取装置１の電源が入れられると、制御部１０は、記憶部７０に格納されている調整テーブルＴＢ１と調整テーブルＴＢ２に基づいて、第１増幅部２４１と第２増幅部２４２の増幅度を制御する。ここで、第１増幅部２４１の増幅度を格納した調整テーブルＴＢ１の内容が図６に示した内容であるため、制御部１０は、調整テーブルＴＢ１において、第１増幅部２４１−１の識別子である「１」と同じ行に格納されている増幅度「０．７」を第１増幅部２４１−１の増幅度とする。また制御部１０は、他の第１増幅部２４１についても同様に調整テーブルＴＢ１に格納されている増幅度に基づいて増幅度を制御する。
【００２６】
次に、第２増幅部２４２の増幅度を格納した調整テーブルＴＢ２の内容が図６に示した内容であるため、制御部１０は、調整テーブルＴＢ２において、第２増幅部２４２−１の識別子である「１」と同じ行に格納されている増幅度「０．３」を第２増幅部２４２−１の増幅度とする。また制御部１０は、他の第２増幅部２４２についても同様に調整テーブルＴＢ２に格納されている増幅度に基づいて増幅度を制御する。
【００２７】
次に、ユーザが、原稿２をガラス板４に載せて押さえ板５で原稿２を押さえた後、操作部３０を操作して画像の読み取りを指示する操作を行うと、制御部１０が駆動部４０を制御し、読取部２０を画像の読み取りの開始位置に移動させる（図１０：ステップＳＡ１）。制御部１０は、読取部２０が画像の読み取りの開始位置に移動すると、読取部２０を副走査方向へ移動させつつ、光照射部２１Ａ、２１Ｂと、シフトレジスタ２４３を制御し、原稿２に形成されている画像を読み取る。
【００２８】
具体的には、まず制御部１０は、駆動部４０を制御して読取部２０の副走査方向への移動を開始した後（ステップＳＡ２）、シフトレジスタ２４３を制御してシフトレジスタ２４３をリセットする（ステップＳＡ３）。次に、制御部１０は、光照射部２１Ａと光照射部２１Ｂの発光ダイオードを点灯させる（ステップＳＡ４）。すると、発光ダイオードから照射された光が原稿２に到達し、原稿２で反射した光がレンズ２２を透過して受光部２３に到達する。
【００２９】
受光部２３の光電変換素子に光が到達すると、光が到達した光電変換素子は、光を電気信号に変換して出力する。
ここで、第１光電変換素子２３１から出力された電気信号は、加算部２４４に入力される。また、第２光電変換素子２３２から出力された電気信号は、第１増幅部２４１で増幅されて加算部２４４に入力される。例えば、第２光電変換素子２３２−１から出力された電気信号は、第１増幅部２４１−１に入力される。第１増幅部２４１−１は、上述したように増幅度が「０．７」にされているため、第２光電変換素子２３２−１から出力された信号は、この増幅度「０．７」で増幅されて加算部２４４−１に入力される。
【００３０】
また、第３光電変換素子２３３から出力された電気信号は、第２増幅部２４２で増幅されて加算部２４４に入力される。例えば、第３光電変換素子２３３−１から出力された電気信号は、第２増幅部２４２−１に入力される。第２増幅部２４２−１は、上述したように増幅度が「０．３」に設定されているため、第３光電変換素子２３３−１から出力された信号は、この増幅度「０．３」で増幅されて加算部２４４−１に入力される。
【００３１】
加算部２４４は、入力された各信号を加算して加算結果を示す信号をシフトレジスタ２４３へ出力し、加算部２４４からシフトレジスタ２４３に入力された電気信号は、シフトレジスタ２４３において保持される。
なお、第２光電変換素子２３２−１に接続された第１増幅部２４１−１の増幅度と、第３光電変換素子２３３−１に接続された第２増幅部２４２−１の増幅度の和は「１」となるように増幅度が設定されている。また、他の増幅部においても、同じ枝番の第１増幅部２４１と第２増幅部２４２との間では、増幅度の和が「１」となるように増幅度が設定されている。これにより、受光部２３においては、レンズ２２からの光を受光部分の重心をずらして図７の２本の点線の間のエリアで受光したのと同様となり、図７に示したように各センサ基板２３５の位置が副走査方向へずれていても、副走査方向の読み取り範囲についてセンサ基板２３５同士の間でずれが生じることがない。
【００３２】
制御部１０は、光照射部２１Ａ、２１Ｂの発光ダイオードを点灯させてから予め定められた時間が経過すると、発光ダイオードを消灯させる（ステップＳＡ５）。次に制御部１０は、シフトレジスタ２４３を制御し、シフトレジスタ２４３に保持されている電気信号を画像処理部５０へ出力させる（ステップＳＡ６）。シフトレジスタ２４３から出力された電気信号が画像処理部５０に入力されると、画像処理部５０は、入力された電気信号をデジタル化して副走査方向の１ライン目の画像データを生成する。
【００３３】
制御部１０は、画像処理部５０において画像が生成されて副走査方向の１ライン目の画像についての読み取りが終了すると、読取部２０が画像の読み取りの終了位置に達するまで、ステップＳＡ３からステップＳＡ７までの処理を繰り返し、２ライン目以降の画像を読み取る。そして、読取部２０が画像の読み取りの終了位置に到達すると（ステップＳＡ７；ＹＥＳ）、画像処理部５０においては、原稿２に形成されている画像について、光照射部２１Ａ、２１Ｂからの光で読み取った画像データが保持された状態となる。
【００３４】
この後、通信ケーブルを介してインターフェース部６０に接続されているＰＣから画像情報の送信指示が送られると、制御部１０は、保持されている画像データの出力を画像処理部５０に指示する。この指示を受けた画像処理部５０は、保持している画像データをインターフェース部６０へ出力する。インターフェース部６０は、画像処理部５０から画像データが供給されると、供給された画像情報を通信ケーブルを介してＰＣへ出力する。
【００３５】
本実施形態によれば、上述したように副走査方向の読み取り範囲についてセンサ基板２３５同士の間でずれが生じることがなく、副走査方向で画像にずれが生じるのを抑えることができる。
【００３６】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００３７】
第２光電変換素子２３２と、第３光電変換素子２３３の副走査方向の幅は、第１光電変換素子の副走査方向の幅より狭ければよい。
例えば、第１光電変換素子２３１の副走査方向の幅を３５μｍとした場合、第２光電変換素子２３２と、第３光電変換素子２３３の副走査方向の幅を５μｍとしてもよい。
また、例えば、第１光電変換素子２３１の副走査方向の幅を２５μｍとした場合、第２光電変換素子２３２と、第３光電変換素子２３３の副走査方向の幅を１５μｍとしてもよい。
【００３８】
上述した実施形態においては、原稿２を固定して読取部２０を移動して原稿２の画像を読み取る構成となっているが、読取部２０を固定し、原稿２を移動させる移動部の一例である自動原稿送り装置などにより原稿２を読取部２０に対して相対的に移動させて原稿２の画像を読み取る構成であってもよい。
【００３９】
上述した画像読取装置１は、複写機やファクシミリ装置に組み合わせ、画像読取装置１で読み取った画像を複写したり、ファクシミリ送信したりするようにしてもよい。
【００４０】
上述した実施形態においては、画像の読み取りの解像度を６００ｄｐｉとしており、この解像度に合わせて各光電変換素子のサイズを設定しているが、画像の読み取りの解像度は６００ｄｐｉに限定されるものではなく、６００ｄｐｉより高解像度または低解像度であってもよい。なお、解像度を６００ｄｐｉ以外とする場合、１画素の大きさに合わせて各光電変換素子のサイズを設定する。
上述した実施形態において、光電変換素子は、ＣＭＯＳイメージセンサーであるが、光を電気信号に変換する素子であれば、ＣＣＤ（Charge Coupled Device）など他の素子であってもよい。
【００４１】
上述した実施形態においては、光照射部２１Ａ、２１Ｂは、赤色光を照射する発光ダイオードと、緑色光を照射する発光ダイオードと、青色光を照射する発光ダイオードの各々を複数有しており、画像を読み取る際の主走査方向に沿って各色の発光ダイオードが繰り返し同じ順番に並べられている構成であってもよい。
また、赤色光を照射する発光ダイオード、緑色光を照射する発光ダイオード、青色光を照射する発光ダイオードの順番で点灯する発光ダイオードを切り替え、各発光ダイオードが点灯した時に光電変換素子から出力された信号に基づいて、赤の画像データ、緑の画像データおよび青の画像データを生成し、カラーの画像データを得るようにしてもよい。
上述した実施形態においては、各光電変換素子から出力される信号のばらつきを補正するために、シェーディング補正を行い、シェーディング補正を行ってから各調整テーブルに格納する増幅度を求めるようにしてもよい。
【００４２】
上述した実施形態においては、第１増幅部２４１−１〜２４１−ｍの増幅度と、第２増幅部２４２−１〜２４２−ｍの増幅度を、調整テーブルＴＢ１と調整テーブルＴＢ２とによらずに全て「０．５」とする制御を可能とし、第１増幅部２４１−１〜２４１−ｍの増幅度と第２増幅部２４２−１〜２４２−ｍの増幅度を、調整テーブルＴＢ１と調整テーブルＴＢ２に格納されている増幅度に基づいて設定する方式と、増幅度を全て「０．５」とする上述の方式とを操作部３０の操作により切り替えられるようにしてもよい。
【符号の説明】
【００４３】
１・・・画像読取装置、１０・・・制御部、２０・・・読取部、２１Ａ，２１Ｂ・・・光照射部、２２・・・レンズ、２３・・・受光部、２５・・・供給部、３０・・・操作部、４０・・・駆動部、５０・・・画像処理部、６０・・・インターフェース部、７０・・・記憶部、２３０・・・基板、２３１−１〜２３１−ｍ・・・第１光電変換素子、２３２−１〜２３２−ｍ・・・第２光電変換素子、２３３−１〜２３３−ｍ・・・第３光電変換素子、２３５−１〜２３５−ｎ・・・センサ基板、２４１−１〜２４１−ｍ・・・第１増幅部、２４２−１〜２４２−ｍ・・・第２増幅部、２４３・・・シフトレジスタ、２４４−１〜２４４−ｍ・・・加算部
【図１】
2011049845.tif 000003
【図２】
2011049845.tif 000004
【図３】
2011049845.tif 000005
【図４】
2011049845.tif 000006
【図５】
2011049845.tif 000007
【図６】
2011049845.tif 000008
【図７】
2011049845.tif 000009
【図８】
2011049845.tif 000010
【図９】
2011049845.tif 000011
【図１０】
2011049845.tif 000012